【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
デュアルユースの指向性エネルギー兵器および撮像装置（１００）において、
ミリメートル波の電磁エネルギーの第１のビーム（１１４）を供給する発電機（１１０）と、
前記発電機からの前記第１のビームを対象物（１９０）に向け、開口を規定するビームディレクター（１２０）と、
ミリメートル波またはサブミリメートル波の電磁エネルギーの第２のビーム（１３２）により、前記対象物に光を当てる照明器（１３０）と、
前記対象物から反射された第２のビームのうちの少なくとも一部（１３４）を使用して、前記対象物の画像を取り込む撮像装置（１４０）とを具備し、
前記撮像装置は、前記ビームディレクターによって規定される開口を共有する、デュアルユースの指向性エネルギー兵器および撮像装置。
【請求項２】
前記第１のビームは、７５ＧＨｚないし１１０ＧＨｚの周波数を有する請求項１記載のデュアルユースの指向性エネルギー兵器および撮像装置。
【請求項３】
前記ビームディレクターは、一次反射エレメント（１２５）を備え、前記一次反射エレメントは、前記開口を規定する請求項１記載のデュアルユースの指向性エネルギー兵器および撮像装置。
【請求項４】
前記第１のビームは、第１の偏光状態を有し、前記第２のビームは、前記第１の偏光状態とは異なる第２の偏光状態を有する請求項１記載のデュアルユースの指向性エネルギー兵器および撮像装置。
【請求項５】
前記ビームディレクターは、偏光状態に基づいて、前記第１のビームと、前記第２のビームの反射された部分とを分離する開口共有エレメント（１２８）を備える請求項４記載のデュアルユースの指向性エネルギー兵器および撮像装置。
【請求項６】
前記一次反射エレメントは、前記第１の偏光状態と前記第２の偏光状態とに対して異なる屈折力を有する請求項５記載のデュアルユースの指向性エネルギー兵器および撮像装置。
【請求項７】
前記第１のビームは、７５ＧＨｚないし１１０ＧＨｚの第１の周波数を有し、前記第２のビームは、前記第１の周波数よりも高い第２の周波数を有する請求項１記載のデュアルユースの指向性エネルギー兵器および撮像装置。
【請求項８】
前記ビームディレクターは、周波数に基づいて、前記第１のビームと、前記第２のビームの反射された部分とを分離する開口共有エレメント（１２８）を備える請求項７記載のデュアルユースの指向性エネルギー兵器および撮像装置。
【請求項９】
前記一次反射エレメントは、前記第１の周波数と前記第２の周波数とに対して異なる屈折力を有する請求項８記載のデュアルユースの指向性エネルギー兵器および撮像装置。
【請求項１０】
前記第２のビームは、前記第１のビームの周波数の１．５倍ないし１０倍である周波数を有する請求項７記載のデュアルユースの指向性エネルギー兵器および撮像装置。
【請求項１１】
制御サブシステム（１５０）をさらに具備する請求項１記載のデュアルユースの指向性エネルギー兵器および撮像装置。
【請求項１２】
セキュリティサブシステム（１６０）をさらに具備する請求項１記載のデュアルユースの指向性エネルギー兵器および撮像装置。
【請求項１３】
照準サブシステム（１７０）をさらに具備する請求項１記載のデュアルユースの指向性エネルギー兵器および撮像装置。
【請求項１４】
通信サブシステム（１８０）をさらに具備する請求項１記載のデュアルユースの指向性エネルギー兵器および撮像装置。
【手続補正２】
【補正対象書類名】明細書
【補正対象項目名】００３４
【補正方法】変更
【補正の内容】
【００３４】
統合された電磁エネルギー源／画像検出器４１０は、電磁エネルギーの指向性エネルギービーム４２０を発生させてもよい。二次反射エレメント４４０は、一次反射エレメント４３０に向けて、発散するビームとして指向性エネルギービームを反射してもよい。一次反射エレメント４３０は、二次反射エレメント４４０から、発散するビームを受け入れてもよく、対象物平面４９０におけるスポットに焦点が合ってもよい、集束する指向性エネルギービーム４２０を形成してもよい。
【手続補正３】
【補正対象書類名】明細書
【補正対象項目名】００５１
【補正方法】変更
【補正の内容】
【００５１】
ここで使用するとき、“および／または”は、リスト表示された項目が選択肢であるが、選択肢はリスト表示された項目の任意の組み合わせを含んでいてもよいことを意味する。  
以下に、本願出願の当初の特許請求の範囲に記載された発明を付記する。
［１］デュアルユースの指向性エネルギー兵器および撮像装置（１００）において、
ミリメートル波の電磁エネルギーの第１のビーム（１１４）を供給する発電機（１１０）と、
前記発電機からの前記第１のビームを対象物（１９０）に向け、開口を規定するビームディレクター（１２０）と、
ミリメートル波またはサブミリメートル波の電磁エネルギーの第２のビーム（１３２）により、前記対象物に光を当てる照明器（１３０）と、
前記対象物から反射された第２のビームのうちの少なくとも一部（１３４）を使用して、前記対象物の画像を取り込む撮像装置（１４０）とを具備し、
前記撮像装置は、前記ビームディレクターによって規定される開口を共有する、デュアルユースの指向性エネルギー兵器および撮像装置。
［２］前記第１のビームは、７５ＧＨｚないし１１０ＧＨｚの周波数を有する上記［１］記載のデュアルユースの指向性エネルギー兵器および撮像装置。
［３］前記ビームディレクターは、一次反射エレメント（１２５）を備え、前記一次反射エレメントは、前記開口を規定する上記［１］記載のデュアルユースの指向性エネルギー兵器および撮像装置。
［４］前記第１のビームは、第１の偏光状態を有し、前記第２のビームは、前記第１の偏光状態とは異なる第２の偏光状態を有する上記［１］記載のデュアルユースの指向性エネルギー兵器および撮像装置。
［５］前記ビームディレクターは、偏光状態に基づいて、前記第１のビームと、前記第２のビームの反射された部分とを分離する開口共有エレメント（１２８）を備える上記［４］記載のデュアルユースの指向性エネルギー兵器および撮像装置。
［６］前記一次反射エレメントは、前記第１の偏光状態と前記第２の偏光状態とに対して異なる屈折力を有する上記［５］記載のデュアルユースの指向性エネルギー兵器および撮像装置。
［７］前記第１のビームは、７５ＧＨｚないし１１０ＧＨｚの周波数を有し、前記第２のビームは、前記第１の周波数よりも高い第２の周波数を有する上記［１］記載のデュアルユースの指向性エネルギー兵器および撮像装置。
［８］前記ビームディレクターは、周波数に基づいて、前記第１のビームと、前記第２のビームの反射された部分とを分離する開口共有エレメント（１２８）を備える上記［７］記載のデュアルユースの指向性エネルギー兵器および撮像装置。
［９］前記一次反射エレメントは、前記第１の周波数と前記第２の周波数とに対して異なる屈折力を有する上記［８］記載のデュアルユースの指向性エネルギー兵器および撮像装置。
［１０］前記第２のビームは、前記第１のビームの周波数の１．５倍ないし１０倍である周波数を有する上記［７］記載のデュアルユースの指向性エネルギー兵器および撮像装置。
［１１］制御サブシステム（１５０）をさらに具備する上記［１］記載のデュアルユースの指向性エネルギー兵器および撮像装置。
［１２］セキュリティサブシステム（１６０）をさらに具備する上記［１］記載のデュアルユースの指向性エネルギー兵器および撮像装置。
［１３］照準サブシステム（１７０）をさらに具備する上記［１］記載のデュアルユースの指向性エネルギー兵器および撮像装置。
［１４］通信サブシステム（１８０）をさらに具備する上記［１］記載のデュアルユースの指向性エネルギー兵器および撮像装置。